(57)【要約】【課題】スペ−ス効率よく電気基板が配置可能であり、電気接続が容易である電気機器を提供する。【解決手段】電気機器であるレンズ鏡筒１０には、外筒２の後方内周部に形成されるリング状空間部１ｃにＦＰＣ１１と電気基板ユニット１２とからなる電気基板装置が収納される。ＦＰＣ１１の基板面にコネクタ２２，２３が実装されている。電気基板ユニット１２は、６角筒のリング状に組み立てれる複数の小片電気基板からなり、複数の中の２つの基板に設けられるコネクタ端子１３ｃ，１６ｃをコネクタ２２，２３に嵌入させて、ＦＰＣ１１と電気基板ユニット１２とを接続状態としてリング状空間部１ｃに収納される。その収納状態では、ＦＰＣ１１は、リング状空間部１ｃの中心軸に対して基板面が直交し、電気基板ユニットの各電気基板の基板面は、リング状空間部１ｃの中心軸に平行な姿勢に保持される。【選択図】    図１
2005037454.tif 000002
【特許請求の範囲】
【請求項１】
リング状の空間を有する電気機器において、
上記リング状の空間に配置され、基板面が上記リング状の空間の中心軸と略直交する平面に平行に配置された第１の電気基板と、
上記リング状の空間に配置され、基板面が上記リング状の空間の中心軸と平行に配置された複数の第２の電気基板と、
上記第２の電気基板と上記第１の電気基板とを電気的に接続するため上記第１の電気基板に設けられ、上記第２の電気基板に設けられた端子が挿入されるコネクタ部品と、
を有することを特徴とする電気機器。
【請求項２】
上記第２の電気基板は、互いに交差した状態を保って上記コネクタに差込れていることを特徴とする請求項１記載の電気機器。
【請求項３】
上記第１の電気基板は、複数のコネクタ部品が設けられ、該コネクタ部品の少なくとも一つは、上記中心軸と直交する平面内で移動可能であることを特徴とする請求項１記載の電気機器。
【請求項４】
リング状の空間を有する電気機器において、
上記リング状の空間に配置され、基板面を上記リング状の空間の中心軸と略直交する平面に平行に配置された第１の電気基板と、
上記リング状の空間に配置され、基板面を上記リング状の空間の中心軸と平行に配置された複数の第２の電気基板と、
上記第２の電気基板と上記第１の電気基板とを電気的に接続するため、上記第１の電気基板に設けられ、上記第２の電気基板に設けられた端子が挿入される第１のコネクタ部品と、
上記リング状の空間に、上記第１の電気基板と平行に、そして上記第１の電気基板とで上記第２の電気基板を挟むように配置され、基板面を上記リング状の空間の中心軸と略直交する平面に平行に配置された第３の電気基板と、
上記第２の電気基板と上記第３の電気基板とを電気的に接続するため、上記第３の電気基板に設けられ、上記第２の電気基板に設けられた上記端子と異なる別の端子が挿入される第２のコネクタ部品と、
を有することを特徴とする電気機器。
【請求項５】
リング状の空間を有する電気機器において、
基板面を上記リング状の空間の中心軸に交差する平面に平行に配置される第１の電気基板と、
基板面を上記リング状の空間の中心軸に交差する平面に平行に配置される第２の電気基板と、
上記第１の電気基板に設けられた第１のコネクタと、
上記第２の電気基板に設けられた第２のコネクタと、
上記第１のコネクタと接続するための第１の電気端子と、上記第２のコネクタと接続するための第２の電気端子とを有する第３の電気基板と、
を有することを特徴とする電気機器。
【発明の詳細な説明】
【０００１】
【発明の属する技術分野】
本発明は、電気的に接続される複数の電気基板を内蔵する電気機器の構造に関する。
【０００２】
【従来の技術】
従来、電気機器内のリング状空間に配置される電気基板装置として、例えば、特許文献１に提案されたものは、多角形の筒状に折り曲げた状態でレンズ鏡筒内に光軸と平行に収納されるフレキシブルプリント基板（以下、ＦＰＣと記載する）により構成される。
【０００３】
また、特許文献２乃至７に提案されたものは、レンズ鏡筒内に配置されるＦＰＣ装置であって、撮影光軸に垂直な平面上に光軸まわりの開口部を有する円環形状部とこの円環形状部の外周から突出して形成される電気部品実装部とからなるＦＰＣを有する電気基板装置に関するものである。
【０００４】
さらに、特許文献８に提案されたものもレンズ鏡筒内に配置されるＦＰＣ装置であって、撮影光軸に垂直な平面上に光軸まわりの開口部を有する円環形状部のＦＰＣを有し、その円環形状部に電気部品が実装される。
【０００５】
【特許文献１】
特許文献１は、特開平７−２９４７９１号公報である。
【０００６】
【特許文献２】
特許文献２は、特開平６−２６５７６８号公報である。
【０００７】
【特許文献３】
特許文献３は、特開平６−２６５７６９号公報である。
【０００８】
【特許文献４】
特許文献４は、特開平６−２７３６５２号公報である。
【０００９】
【特許文献５】
特許文献５は、特開平６−２７３６５３号公報である。
【００１０】
【特許文献６】
特許文献６は、特開平６−２７３６５４号公報である。
【００１１】
【特許文献７】
特許文献７は、特開平６−２８９２６８号公報である。
【００１２】
【特許文献８】
特許文献８は、特開平８−３３４６７２号公報である。
【００１３】
【発明が解決しようとする課題】
しかし、特許文献１に提案されたレンズ鏡筒に内蔵される電気基板装置は、必ずしも効率のよい基板配置が採用されているとはいえない。例えば、上記円環状の空間中心と対向する位置にある互いの基板同士の電気的連絡は他の基板を介して行われるため、その他の基板のスペースに余裕が無くなり、その他の基板の部品実装が出来なくなる虞が生じる。
【００１４】
また、特許文献２乃至８に提案されたレンズ鏡筒に内蔵されるＦＰＣ装置においても、電気接続を考慮した状態のもとでは効率のよい配置がなされているとはいえない。
【００１５】
本発明は、上述の問題を解決するためになされたものであって、スペ−ス効率よく電気基板が配置可能であり、電気接続が容易である電気機器を提供することを目的とする。
【００１６】
【課題を解決するための手段】
本発明の請求項１記載の電気機器は、リング状の空間を有する電気機器において、上記リング状の空間に配置され、基板面を上記リング状の空間の中心軸と略直交する平面に平行に配置された第１の電気基板と、上記リング状の空間に配置され、基板面を上記リング状の空間の中心軸と平行に配置された複数の第２の電気基板と、上記第２の電気基板と上記第１の電気基板とを電気的に接続するため上記第１の電気基板に設けられ、上記第２の電気基板に設けられた端子が挿入されるコネクタ部品とを有しており、上記第１の電気基板と上記第２の電気基板とは、上記コネクタ部品を介して電気的に接続される。
【００１７】
本発明の請求項２記載の電気機器は、請求項１記載の電気機器において、上記第２の電気基板は、互いに交差した状態を保って上記コネクタに差込れている。
【００１８】
本発明の請求項３記載の電気機器は、請求項１記載の電気機器において、上記第１の電気基板は、複数のコネクタ部品が設けられ、該コネクタ部品の少なくとも一つは、上記中心軸と直交する平面内で移動可能である。
【００１９】
本発明の請求項４記載の電気機器は、リング状の空間を有する電気機器において、上記リング状の空間に配置され、基板面を上記リング状の空間の中心軸と略直交する平面に平行に配置された第１の電気基板と、上記リング状の空間に配置され、基板面を上記リング状の空間の中心軸と平行に配置された複数の第２の電気基板と、上記第２の電気基板と上記第１の電気基板とを電気的に接続するため、上記第１の電気基板に設けられ、上記第２の電気基板に設けられた端子が挿入される第１のコネクタ部品と、上記リング状の空間に、上記第１の電気基板と平行に、そして上記第１の電気基板とで上記第２の電気基板を挟むように配置され、基板面を上記リング状の空間の中心軸と略直交する平面に平行に配置された第３の電気基板と、上記第２の電気基板と上記第３の電気基板とを電気的に接続するため、上記第３の電気基板に設けられ、上記第２の電気基板に設けられた上記端子と異なる別の端子が挿入される第２のコネクタ部品と有しており、上記第１の電気基板と上記第２の電気基板とは、上記第１のコネクタ部品を介して電気的に接続され、さらに、上記第２の電気基板と上記第３の電気基板とは、上記第２のコネクタ部品を介して電気的に接続される。
【００２０】
本発明の請求項５記載の電気機器は、リング状の空間を有する電気機器において、基板面を上記リング状の空間の中心軸に交差する平面に平行に配置される第１の電気基板と、基板面を上記リング状の空間の中心軸に交差する平面に平行に配置される第２の電気基板と、上記第１の電気基板に設けられた第１のコネクタと、上記第２の電気基板に設けられた第２のコネクタと、上記第１のコネクタと接続するための第１の電気端子と、上記第２のコネクタと接続するための第２の電気端子とを有する第３の電気基板とを有しており、上記第１の電気基板と上記第２の電気基板とは、第３の電気基板の第１の電気端子および第２の電気端子により第１のコネクタおよび第２のコネクタを介して電気的に接続される。
【００２１】
【発明の実施の形態】
以下、本発明の実施の形態を図に基づいて説明する。
図１は、本発明の第１の実施形態の電気機器であるレンズ鏡筒の電気基板収納部周りの分解斜視図である。図２は、上記レンズ鏡筒の横断面図（光軸Ｏを通り、Ｘ方向に沿った断面図）である。図３は、上記レンズ鏡筒の電気基板収納部を後面側から見た図である。図４は、上記レンズ鏡筒に収納される電気基板ユニットの分解斜視図である。図５は、上記電気基板ユニットの組み立て状態の斜視図である。なお、以下の説明において、レンズ鏡筒における光軸Ｏ方向の被写体側（前群レンズ側）を前方、マウント側を後方とする。
【００２２】
本実施形態のレンズ鏡筒１０は、一眼レフカメラボディに着脱可能な交換レンズ鏡筒であり、図２に示すように外筒１と、内筒２と、中央開口３ａおよびレンズマウント部（バヨネット部）３ｂを有する蓋部材３と、電気基板装置とを有している。このレンズ鏡筒１０は、後述する前，後群レンズの光軸である光軸Ｏを有している。
【００２３】
外筒１は、開口部１ａを有し、内部に進退可能な前群レンズ４と、前群レンズ４を進退駆動するためのレンズ駆動機構部６を内蔵している。
【００２４】
内筒２は、外筒１の後方内部にビス８により固着され、その内部に後群レンズ５が保持される。
【００２５】
蓋部材３は、内筒２の後方位置にて外筒１の後方外周部１ｂ後端面にビス９により固着されて保持される。なお、蓋部材３の後面にはマウント接続接点群３ｃが配されている。
【００２６】
外筒１の後方外周部１ｂは、その前方に対して一段小径になっている。そして、後方外周１ｂの内周部と内筒２の外周部の間には、光軸Ｏを中心軸とするリング状空間１ｃが形成されている。そのリング状空間１ｃに上記電気基板装置が収納される。リング状空間１ｃ内には、レンズ駆動機構部６のアクチュエータ（図示せず）等に接続される電力供給、かつ、制御信号のためのレンズ駆動制御用ＦＰＣ７が導出されている。
【００２７】
上記電気基板装置は、図１に示すように第１の電気基板であるＦＰＣ１１と、６枚構成の第２の電気基板で構成される電気基板ユニット１２とからなる。
【００２８】
ＦＰＣ１１は、板状もしくは膜状の円盤形状をなし、Ｘ方向（光軸Ｏと直交する左右方向）の一方に突出する突出部１１ｂが形成され、内筒２の外周に嵌入可能な中央開口部１１ａとリング状空間１ｃの内周部に挿入可能な外周部を有する。このＦＰＣ１１は、両面が実装可能な基板面を形成する両面基板であって、ＦＰＣ１１の円盤形状部の後面上には、突出部１１ｂ側の光軸Ｏを挟む反対側にコネクタ（雌）２２が実装され、また、ＩＣ２０やチップ部品２１等も実装される。
【００２９】
突出部１１ｂは、折り返され、その折り返し部の後面上にコネクタ（雌）２３が実装されている。ＦＰＣ１１をリング状空間１ｃの挿入した状態でコネクタ２２と２３とは、光軸Ｏに対してＸ方向に略対称位置に位置する。
【００３０】
電気基板ユニット１２は、図４に示すように板状の硬質基板で形成される小片の電気基板１３，１４，１５，１６，１７，１８からなる。そのうち、電気基板１３，１５，１７には、２つずつの光軸Ｏ方向に沿った前方からの切り欠き１３ａ，１５ａ，１７ａが設けられる。電気基板１４，１６，１８には、２つずつの光軸Ｏ方向に沿った後方からの切り欠き１４ａ，１６ａ，１８ａが設けられる。
【００３１】
電気基板１３〜１８には、それぞれに電気回路を構成する電気素子であるＩＣ２４やチップ部品等が各両面の基板面（例えば、基板１３の１３ｄ，１３ｅ等）上に必要に応じて実装されている。
【００３２】
電気基板１３〜１８には、組み立て状態で互いに係合する各切り欠き部１３ａ〜１８ａの外側基板面周辺に光軸Ｏ方向に沿って基板間接続パターンが配置されている。例えば、電気基板１５には、その切り欠き１５ａの側方部に接続パターン１５ｂ１  と切り欠き１５ａの後方部に接続パターン１５ｂ２  とからなる基板間接続パターン１５ｂが設けられる。電気基板１６には、その切り欠き１６ａの前方側に接続パターン１６ｂ１  と、切り欠き１６ａの側方部に接続パターン１６ｂ２  とからなる基板間接続パターン１６ｂが設けられる。
【００３３】
また、組み込み状態で左右に対向して配される電気基板１３，１６には、前方に凸状のコネクタ端子（雄）１３ｃ，１６ｃが設けられる。さらに、電気基板１４と電気基板１６と組み合う電気基板１５には、ＦＰＣ７接続用のコネクタ（雌）２５が実装されている。
【００３４】
上述した構成を有する電気基板１３〜１８は、図５に示すように対向する各切り欠き部１３ａ〜１８ａを係合させると、各基板両端部が外方に突出した状態の６角筒状のリング形状に組み立てられる。そして、基板間接続パターン１５ｂと１６ｂとの間をはじめ他の基板の切り欠き部周りの基板間接続パターンを各基板間で半田付けする。その半田付け状態で各基板が６角筒状のリング形状に固定され、かつ、基板間の電気接続がなされた電気基板ユニット１２が形成される。
【００３５】
さらに、電気基板ユニット１２は、ＦＰＣ１１のコネクタ２２，２３に基板１３，１６のコネクタ端子１３ｃ，１６ｃを嵌入させてＦＰＣ１１に電気的かつ機械的に接続（連絡）される。このとき、コネクタ２３がＸ方向に移動できるので電気基板１２側のコネクタ部１３ｃと１６ｃの心間距離に合致せて無理なく接続することができる。
【００３６】
上述したＦＰＣ１１と電気基板ユニット１２からなる電気基板装置は、レンズ鏡筒１０のリング状空間１ｃに挿入（配置）される。すなわち、レンズ鏡筒１０側のレンズ駆動制御用ＦＰＣ７のコネクタ端子部７ａを基板１５上のコネクタ２５に嵌入させた後、上記電気基板装置は、リング状空間１ｃに後方側からＦＰＣ１１の内周開口部１１ａと電気基板ユニット１２のリング形状内周部とを内筒２の外周に挿入してリング状空間１ｃ内に組み込まれる。
【００３７】
そこで、蓋部材３を外筒１の後端面にビス９により固定する。なお、蓋部材３のマウント接続接点３ｃには、その内側にて上記いずれかの電気基板に接続された図示しないＦＰＣが予め接続されているものとする。
【００３８】
電気基板装置のレンズ鏡筒１０への組み込み状態では、ＦＰＣ１１の基板面は、光軸Ｏに対して交差する面（直交面）に、電気基板ユニット１２の各基板の基板面は、光軸Ｏに対して平行な面にそれぞれ保たれる。
【００３９】
また、上記組み込み状態でＦＰＣ１１を内筒２にネジ止めしてもよく、スポンジゴム等をリング状空間１ｃとの隙間に挿入して上記電気基板装置のガタつきを防止してもよい。
【００４０】
上述した本実施形態のレンズ鏡筒においては、レンズ鏡筒１０内のリング状空間に複数の硬質電気基板を筒状に組み合わせて収納することが可能であり、収納スペ−ス効率が向上し、レンズ鏡筒の小型化が実現できる。さらに、上記複数の硬質電気基板との接続がＦＰＣ１１を介して容易に行うことが可能になる。
【００４１】
次に、本発明の第２の実施形態の電気機器としてのレンズ鏡筒について、図６，７を用いて説明する。
図６は、本実施形態のレンズ鏡筒の電気基板収納部周りの分解斜視図である。図７は、上記レンズ鏡筒の横断面図（光軸Ｏを通る断面図）である。
【００４２】
本実施形態のレンズ鏡筒１０′は、第１の実施形態のレンズ鏡筒１０に対してレンズ鏡筒部の外，内筒１，２および蓋部材３等は、同一構成を有し、外筒１の後部のリング状空間１ｃに収納される電気基板装置が異なる。従って、レンズ鏡筒部の同一構成部材には、第１の実施形態における構成部材の符号と同一符号を付し、以下、異なる部分についてのみ説明する。
【００４３】
本実施形態のレンズ鏡筒１０′に収納される電気基板装置は、図６，７に示すように第１の電気基板である硬質の電気基板３１と、６枚構成の第２の電気基板である電気基板ユニット３２と、第３の電気基板である硬質の電気基板３３とからなる。
【００４４】
電気基板３１は、円盤形状であって、内筒２の外周に嵌入可能な中央開口部３１ａとリング状空間１ｃの内周部に挿入可能な外周部を有し、実装可能な基板面をもつ。この電気基板３１には、後面上に長手方向が光軸Ｏの周方向に沿った状態の第１のコネクタ部品としての６つのコネクタ（雌）５１，５２，５３，５４，５５，５６が実装される。また、ＩＣやチップ部品５７等も実装可能である。
【００４５】
電気基板３３も円盤形状であって、内筒２の外周に嵌入可能な中央開口部３３ａとリング状空間１ｃの内周部に挿入可能な外周部を有し、実装可能な基板面をもつ。この電気基板３３には、前面上に長手方向が光軸Ｏの周方向に沿った状態の第２のコネクタ部品としての６つのコネクタ（雌）６１，６２，６３，６４，６５，６６が実装される。また、ＩＣやチップ部品等も実装可能である。
【００４６】
電気基板ユニット３２は、硬質基板で形成される小片の電気基板４１，４２，４３，４４，４５，４６からなる。
【００４７】
電気基板４１，４２，４３，４６には、それぞれに光軸Ｏ方向に沿って前方からの切り欠き４１ａ，４２ｂ，４３ａ，４６ｂと、後方からの切り欠き４１ｂ，４２ａ，４３ｂ，４６ａが設けられる。電気基板４４，４５には、それぞれに光軸Ｏ方向に沿って後方からの２つの切り欠き４４ａ，４４ｂと前方からの２つの切り欠き４５ａ，４５ｂとが設けられる。また、電気基板４１，４２，４３，４４，４５，４６には、それぞれに前方側に第１の電気端子となる凸状のコネクタ端子（雄）４１ｃ，４２ｃ，４３ｃ，４４ｃ，４５ｃ，４６ｃが設けられ、後方側に第２の電気端子となる凸状のコネクタ端子（雄）４１ｄ，４２ｄ，４３ｄ，４４ｄ，４５ｄ，４６ｄが設けられる。
【００４８】
電気基板４１〜４６には、それぞれに電気回路を構成する電気素子であるＩＣ７１やチップ部品等が各両面の基板面に実装されている。さらに、電気基板４３には、ＦＰＣ７接続用のコネクタ（雌）７３が実装されている。
【００４９】
そこで、電気基板４１〜４６は、図６に示すように、初めに電気基板３１上のコネクタ５４に電気基板４４のコネクタ端子４４ｃを接続挿入し、次に電気基板３１上のコネクタ５３に電気基板４３のコネクタ端子４３ｃを接続挿入する。このとき、電気基板４４の切り欠き４４ａと電気基板４３の切り欠き４３ａとが係合し、これら電気基板が交差するように組み合わされる。このように、順次、電気基板４２、電気基板４１、電気基板４６、電気基板４５を電気基板３１に接続し、組み合わせられると、各基板端部が外方に突出する６角筒状のリング形状の電気基板ユニット３２として組立てられる。
【００５０】
さらに、電気基板ユニット３２の前，後方側にそれぞれ電気基板３１，３３がコネクタ接続して取り付けられる。すなわち、電気基板ユニット３２の前方側に電気基板３１をそのコネクタ５１〜５６にコネクタ端子４１ｃ〜４６ｃを嵌入させて電気的かつ機械的に接続（連絡）する。また、電気基板ユニット３２の後方側に電気基板３３をそのコネクタ６１〜６６にコネクタ端子４１ｄ〜４６ｄを嵌入させて電気的かつ機械的に接続（連絡）し、電気基板装置として組み立てられる。
【００５１】
上述した電気基板３１，３３と電気基板ユニット３２とからなる電気基板装置は、レンズ鏡筒１０′のリング状空間１ｃに挿入し、組み込まれる。すなわち、レンズ鏡筒１０′側のレンズ駆動制御用ＦＰＣ７のコネクタ端子部７ａを基板４３のコネクタ７３に嵌入させた後、上記電気基板装置は、リング状空間１ｃに後方側から電気基板３１，３３の中央開口部３１ａ，３３ａおよび電気基板ユニット３２のリング形状内周部を内筒２の外周に挿入して組み込まれる。
【００５２】
そして、蓋部材３を外筒１の後端面にビス９により固定する。なお、蓋部材３のマウント接続接点３ｃには、その内側にて上記いずれかの電気基板に接続されたＦＰＣが予め接続されているものとする。
【００５３】
上記電気基板装置のレンズ鏡筒１０′への組み込み状態では、電気基板３１，３３の基板面は、光軸Ｏに対して交差する面（直交面）に互いに平行な状態に、また、電気基板ユニット１２の各基板の基板面は、光軸Ｏに対して平行な面にそれぞれ保たれる。また、上記電気基板装置の挿入状態で電気基板３１を内筒２にネジ止めしてもよく、スポンジゴム等を隙間に挿入して上記電気基板装置のガタつきを防止してもよい。
【００５４】
上述した本実施形態のレンズ鏡筒においては、レンズ鏡筒１０′内のリング状空間に複数の硬質電気基板を筒状（リング状）に組み合わせて収納することが可能であり、収納スペ−ス効率が向上し、レンズ鏡筒の小型化が実現できる。さらに、上記リング形状の複数の硬質電気基板の接続が電気基板３１および３３を介して容易に行うことが可能になり、リング形状の複数の硬質電気基板間の半田接続が不要になる。
【００５５】
なお、上記第１，２実施形態における電気基板ユニット１２，３２の電気基板の構成枚数は、６枚以外であってよく、形成されるリング形状も６角筒以外の形状であってもよい。また、電気基板ユニット１２，３２を構成する各電気基板は、フレキシブルプリント基板であってもよい。
【００５６】
【発明の効果】
上述のように本発明によれば、スペ−ス効率よく電気基板が配置可能であり、電気基板回路パターン設計の自由度の向上を図ることができる電気機器を提供することができる。
【図面の簡単な説明】
【図１】本発明の第１の実施形態の電気機器であるレンズ鏡筒の電気基板収納部周りの分解斜視図である。
【図２】図１のレンズ鏡筒の横断面図（光軸Ｏを通り、Ｘ方向に沿った断面図）である。
【図３】図１のレンズ鏡筒の電気基板収納部を後面側かた見た図である。
【図４】図１のレンズ鏡筒に収納される電気基板ユニットの分解斜視図である。
【図５】図４の電気基板ユニットの組み立て状態の斜視図である。
【図６】本発明の第２の実施形態のレンズ鏡筒の電気基板収納部周りの分解斜視図である。
【図７】図６のレンズ鏡筒の横断面図（光軸Ｏを通る断面図）である。
【符号の説明】
１ｃ…リング状空間
１０，１０′…レンズ鏡筒（電気機器）
１１  …ＦＰＣ（第１の電気基板）
１２  …電気基板ユニット（第２の電気基板）
１３，１４，１５，１６，１７，１８…電気基板（第２の電気基板）
１３ｄ，１３ｅ…基板面
２２，２３…コネクタ
（コネクタ部品，第１のコネクタ）
３１  …電気基板（第１の電気基板）
３２  …電気基板ユニット
（第２の電気基板，第３の電気基板）
３３  …電気基板
（第３の電気基板，第２の電気基板）
４１，４２，４３，４４，４５，４６…電気基板
（第２の電気基板，第３の電気基板）
４１ｃ，４２ｃ，４３ｃ，４３ｃ，４５ｃ，４６ｃ…コネクタ端子
（第２のコネクタ部品，第１の電気端子）
４１ｄ，４２ｄ，４３ｄ，４３ｄ，４５ｄ，４６ｄ…コネクタ端子
（第２のコネクタ部品，第２の電気端子）
５１，５２，５３，５４，５５，５６…コネクタ
（コネクタ部品，第１のコネクタ部品）
６１，６２，６３，６４，６５，６６…コネクタ
（コネクタ部品，第２のコネクタ部品）
【図１】
2005037454.tif 000003
【図２】
2005037454.tif 000004
【図３】
2005037454.tif 000005
【図４】
2005037454.tif 000006
【図５】
2005037454.tif 000007
【図６】
2005037454.tif 000008
【図７】
2005037454.tif 000009